(57)【特許請求の範囲】
【請求項１】
編地からなる略箱型の繊維製布団篭において、前記繊維製布団篭の内部に充填した中詰材の側圧による側面のはらみ出し変形を抑制するための、繊維製布団篭の変形抑制構造であって、
前記繊維製布団篭の対向する２つの側面の間を連結した拘束ロープを備え、
前記拘束ロープは、１本の拘束線材と、前記拘束線材の両端から分岐した複数本の連結線材と、からなり、
前記２つの側面の各面において、前記複数本の連結線材の先端が、前記側面の経ストランド、緯ストランド、又はこれらの交点と連結していることによって、前記側面上に、中詰材の側圧に対して面状に抵抗可能な面状拘束部を構成したことを特徴とする、
変形抑制構造。
【請求項２】
前記拘束線材の各端における前記複数本の連結線材が、前記拘束線材の延長である中央連結線材と、前記拘束線材と結び合わせた結び目から前記中央連結線材の両側に開いた２本の側方連結線材と、からなることを特徴とする、請求項１に記載の変形抑制構造。
【請求項３】
前記２つの側面の各面において、前記複数本の連結線材の先端が、同じ高さで前記側面と連結していることを特徴とする、請求項１又は２に記載の変形抑制構造。
【請求項４】
前記複数本の連結線材が、前記側面における中央の高さで前記側面と連結していることを特徴とする、請求項３に記載の変形抑制構造。
【請求項５】
複数本の前記拘束ロープによって、前記繊維製布団篭の４つの側面をそれぞれ対向する側面と連結し、交差した２本の前記拘束ロープを交点で結合したことを特徴とする、請求項１乃至４のいずれか一項に記載の変形抑制構造。
【請求項６】
前記側面の経ストランド及び緯ストランドの一部が他より太径の補強ストランドであり、前記連結線材の先端を前記補強ストランドと連結していることを特徴とする、請求項１乃至５のいずれか一項に記載の変形抑制構造。
【請求項７】
対向する少なくとも２つの側面に、請求項１乃至６のいずれか一項に記載の変形抑制構造を構成し、
内部に中詰材を充填してなることを特徴とする、
繊維製布団篭。
【発明の詳細な説明】
【技術分野】
【０００１】
本発明は繊維製布団篭の変形抑制構造、及び繊維製布団篭に関し、特に、部材の柔軟性・軽量性と、高い形状保持性とを両立可能な、繊維製布団篭の変形抑制構造、及び変形抑制構造を備えた繊維製布団篭に関する。
【背景技術】
【０００２】
河川や海岸における護岸工事や斜面の補強工事等において、籠体の内部に砕石等の中詰材を詰めた布団篭が使用されている。
近年では、腐食防止や軽量化等の目的のため、従来の鍍金鉄線等を編んでなる鉄線製布団篭に替わり、編地で構成した繊維製の布団篭が普及している（特許文献１、２）。
【先行技術文献】
【特許文献】
【０００３】
【特許文献１】特開２００１−３４８８３３号公報
【特許文献２】実開平７−２３０２３号公報
【発明の概要】
【発明が解決しようとする課題】
【０００４】
従来の繊維製布団篭は、全体が柔軟な編地からなるため、中詰材を充填すると、中詰材の内圧により側面がはらみ出して変形しやすい。特に、施工位置に配置する前に吊り上げと転置を繰り返すことで、変形が蓄積され、最終設置時には形体が大きく崩れていることがある。
布団篭の形状が大きく変形することで、出来形が悪くなる他、積み上げが困難になり施工精度が低下する。
【０００５】
本発明は、上記のような課題を解決し、部材の柔軟性・軽量性と高い形状保持性とを両立可能な、繊維製布団篭の変形抑制構造及び繊維製布団篭を提供することを目的とする。
【課題を解決するための手段】
【０００６】
本発明の繊維製布団篭の変形抑制構造は、繊維製布団篭の対向する２つの側面の間を連結した拘束ロープを備え、拘束ロープは、１本の拘束線材と、拘束線材の両端から分岐した複数本の連結線材と、からなり、２つの側面の各面において、複数本の連結線材の先端が、側面の経ストランド、緯ストランド、又はこれらの交点と連結していることによって、側面上に、中詰材の側圧に対して面状に抵抗可能な面状拘束部を構成したことを特徴とする。
【０００７】
本発明の繊維製布団篭の変形抑制構造は、拘束線材の各端における複数本の連結線材が、拘束線材の延長である中央連結線材と、拘束線材と結び合わせた結び目から中央連結線材の両側に開いた２本の側方連結線材と、からなってもよい。
【０００８】
本発明の繊維製布団篭の変形抑制構造は、２つの側面の各面において、複数本の連結線材の先端が、同じ高さで側面と連結していてもよい。
【０００９】
本発明の繊維製布団篭の変形抑制構造は、複数本の連結線材が、側面における中央の高さの交点と連結していてもよい。
【００１０】
本発明の繊維製布団篭の変形抑制構造は、複数本の拘束ロープによって、繊維製布団篭の４つの側面をそれぞれ対向する側面と連結し、交差した２本の拘束ロープを交点で結合してもよい。
【００１１】
本発明の繊維製布団篭の変形抑制構造は、側面の経ストランド及び緯ストランドの一部が他より太径の補強ストランドであり、連結線材の先端を補強ストランドと連結してもよい。
【００１２】
本発明の繊維製布団篭は、対向する少なくとも２つの側面に、変形抑制構造を構成し、内部に中詰材を充填してなることを特徴とする。
【発明の効果】
【００１３】
本発明の繊維製布団篭の変形抑制構造及び繊維製布団篭は、側面を、１本の拘束線材から分岐した複数の連結線材で拘束することで、中詰材による側圧を側面の編地に分散して面状に抵抗することができる。
これによって、中詰材の充填による側面のはらみ出しを抑制して、繊維製でありながら鉄線製の布団篭以上に整った直方形の出来形を確保でき（図５）、部材の柔軟性・軽量性と高い形状保持性とを両立することができる。
また、３本を個別に結ぶよりも現場において結ぶ点が減るため、現場での作業を簡略化することが可能となる。
【図面の簡単な説明】
【００１４】
【図１】本発明に係る繊維製布団篭の変形抑制構造の説明図。
【図２】本発明に係る繊維製布団篭の変形抑制構造の説明図（表示の便宜上蓋面と底面を省略している）。
【図３】本発明に係る繊維製布団篭の説明図。
【図４】面状拘束部の説明図。
【図５】実施例１と比較例との出来形の対比を表す図面代用写真。
【図６】実施例２の説明図（表示の便宜上蓋面と底面を省略している）。
【発明を実施するための形態】
【００１５】
以下、図面を参照しながら本発明の繊維製布団篭の変形抑制構造及び繊維製布団篭について詳細に説明する。  
【実施例１】
【００１６】
[変形抑制構造]
＜１＞全体の構成（図１）。
本発明の変形抑制構造１は、繊維製布団篭Ａの側面Ａ３のはらみ出し変形を抑制するための構造である。
変形抑制構造１は、繊維製布団篭Ａの内部に構成され、繊維製布団篭Ａの対向する２つの側面Ａ３の間を連結した拘束ロープ１０と、繊維製布団篭Ａの側面Ａ３に構成した面状拘束部２０と、を備える。
詳細には、拘束ロープ１０の両端において、複数本の連結線材１２が、それぞれ、繊維製布団篭Ａの側面Ａ３における経ストランドＡ３１、緯ストランドＡ３２、又はこれらの交点と連結していることで、繊維製布団篭Ａの側面における連結線材１２との連結線材付近に、面状拘束部２０を構成している（図４）。
本例では、略長方形状の繊維製布団篭Ａの短辺側の側面Ａ３間を拘束ロープ１０で連結し、短辺側の側面Ａ３に面状拘束部２０を構成する（図２）。ただしこれに限らず、長辺側の側面Ａ３間を連結して、長辺側の側面Ａ３に面状拘束部２０を構成してもよい。
なお、短辺側と長辺側の両側面に面状拘束部２０を構成する例については実施例２で後述する。
また本例では、繊維製布団篭Ａに連結する拘束ロープ１０は１本のみだが、複数本の拘束ロープ１０を同一方向に向けて並列配置してもよい。
【００１７】
＜１．１＞繊維製布団篭（図３）。
変形抑制構造１を適用する繊維製布団篭Ａは、編地からなる土木資材である。
繊維製布団篭Ａは、それぞれ繊維製の編地である、蓋面Ａ１、底面Ａ２、及び４つの側面Ａ３からなる略箱型の形状を呈する。
詳細には、例えばループ状に編んだ太めのストランドを上下に配してこれを側面Ａ３の上辺及び下辺とし、上辺と下辺の間を細めのストランドからなる無結節の編地で連結して側面Ａ３を構成し、上辺のループ内に矩形の編地を連結して蓋面Ａ１を構成し、下辺のループ内に矩形の編地を連結して底面Ａ２を構成する。
実際の使用時には、蓋面Ａ１を備えない、４つの側面Ａ３と底面Ａ２からなる函体の内側に中詰材Ｂを投入した後に、中詰材Ｂの上に蓋面Ａ１を載せ、蓋面Ａ１の側辺と側面Ａ３の上辺とを蓋閉じロープで編み込んで封鎖する。
本例では、繊維製布団篭Ａを構成する編地としてポリエステル繊維網を採用する。ただしこれに限らず、ポリエチレン繊維他いかなる素材であってもよい。
中詰材Ｂは、砕石、自然石、コンクリートガラなどから用途に応じて任意に選択することができる。
【００１８】
＜２＞拘束ロープ。
拘束ロープ１０は、繊維製布団篭Ａの対向する二側面間を連結して、相互に拘束する構成要素である。
本例では拘束ロープ１０として、ポリエステル繊維製ロープを採用する。ただしこれに限られず、側面Ａ３の拘束に十分な引張強度と中詰材Ｂの噛み合わせに耐えうる耐摩耗性を備えていれば、その他いかなる素材であってもよい。
拘束ロープ１０は、１本の拘束線材１１と、拘束線材１１の両端から分岐した複数本の連結線材１２からなる。ここで、拘束線材１１は、連続した１本の線材の他、別々の２本の線材を中央で結び合わせて１本の線材に構成したものであってもよい。
本例では、連結線材１２の本数は拘束線材１１の両端に各３本であり、拘束ロープ１０の両端が平面視で三又状に分岐する。なお、連結線材１２の本数は各３本に限らず、各２本又は各４本以上であってもよい。
【００１９】
＜２．１＞連結線材。
連結線材１２は、繊維製布団篭Ａの側面Ａ３と連結して、中詰材Ｂの内圧に対して側面Ａ３を面状に抵抗させる構成要素である。
本例では連結線材１２として、拘束線材１１の端部の延長である中央連結線材１２ａと、１本の繊維製ロープの中心を拘束線材１１と結び合わせ、繊維製ロープの両端を結び目から中央連結線材１２ａの両側に展開してなる２本の側方連結線材１２ｂと、の組み合わせを採用する。
この構造によれば、１本の繊維製ロープの両端部付近に別の１本の繊維製ロープを結び付けるだけで、三叉状の連結線材１２を容易に形成することができる。
本例では、２本の側方連結線材１２ｂが、中央連結線材１２ａから左右に約４５°の角度を形成し、各連結線材１２の先端が、側面Ａ３の同一平面上に連結するように、２本の側方連結線材１２ｂを中央連結線材１２ａより長くしている。これによって、側面Ａ３にかかる側圧を、３本の連結線材１２が均一に分担することができる。
各連結線材１２の先端は、側面のストランドに結び付けて連結する。
本例では、３本の連結線材１２の先端をそれぞれ、束ね合わせた２本の経ストランドＡ３１に、側面Ａ３の同じ高さで結び付けて連結する。
ただし連結線材１２の連結先はこれに限らず、束ねていない１本の経ストランドＡ３１、１本又は束ねた複数本の緯ストランドＡ３２、経ストランドＡ３１とＡ３２の交点、に連結してもよい。  
【００２０】
＜３＞面状拘束部（図４）。
面状拘束部２０は、中詰材Ｂの側圧による側面Ａ３のはらみ出しに対して、面状に抵抗する構成要素である。
面状拘束部２０は、繊維製布団篭Ａの側面Ａ３上において、拘束ロープ１０の連結線材１２との連結部付近に構成される。
詳細には、面状拘束部２０は、側面Ａ３の編地上において、連結線材１２と結び付いた少なくとも２本のストランドと、これと近接する直交方向の複数のストランドとによって略四角形状の範囲に構成される。
面状拘束部２０は、１本の拘束線材１１の両端から分岐した複数の連結線材１２と、複数点で連結されることで、中詰材Ｂによる側圧を、連結線材１２に連結した複数のストランドと、これと近接する直交方向の複数のストランドとによって井桁状に分散して伝達し、側圧に対して面状に抵抗する。
これによって、側面Ａ３の変形量を小さくして、側面Ａ３のはらみ出しを防ぐことができる。
なお、仮に分岐した連結線材を有さない１本物の拘束ロープを、複数本並行して配置しても、各拘束ロープは、側圧に対して相互に独立して抵抗するため、十分な変形抑制機能は期待できない。また、本発明の変形抑制構造１と同数の連結点を確保するために、本発明の変形抑制構造１の２倍以上の拘束ロープが必要となるため、コストが嵩む上、中詰材の内部を多数の拘束ロープが横断することによって中詰材が上下に縁切りされ、構造の一体性が損なわれる。
【００２１】
＜４＞従来技術との比較。
本発明の変形抑制構造１を備えた繊維製布団篭Ａ（実施例１）、従来技術の繊維製布団篭（比較例１）、及び鉄線製布団篭（比較例２）の内部にそれぞれ中詰材を充填し、出来形を比較した（図５）。
比較例１の繊維製布団篭は、中詰材の充填により側面がはらみ出し、これに伴って蓋面の周辺が陥没して形状が大きく崩れている。
比較例２の鉄線製布団篭は、比較例１より変形量は少ないものの、内圧により側面がはらみ出し変形している。
これら比較例に対し、実施例１の繊維製布団篭Ａは、変形抑制構造１によって側面のはらみ出しを効果的に抑制し、最も整った直方形状を維持できることが観取できる。
【実施例２】
【００２２】
[拘束ロープを交差した例]
実施例１では繊維製布団篭Ａの対向する２つの側面Ａ３の内、短辺側の２側面間、又は長辺側の２側面間のいずれか一方向のみに拘束ロープ１０を配置したが、本例では、２本の拘束ロープ１０を交差させて、短辺側の２側面間および長辺側の２側面間を二方向に連結する。
拘束ロープ１０の本数に限定はなく、本例では短辺側の側面Ａ３間を１本の第１拘束ロープ１０ａで連結し、長辺側の側面Ａ３間を２本の第２拘束ロープ１０ｂで連結する（図６）。
また、第１拘束ロープ１０ａと第２拘束ロープ１０ｂとは、交点で結び目を作って相互に連結する。これによって、交差する複数の拘束ロープ１０が相互に直交方向に拘束しあうことで、変形抑制構造１による変形抑止機能が高まる。
【実施例３】
【００２３】
[補強ストランドを設けた例]
本例では、側面Ａ３を構成するストランドの内一部を、他のストランドより太径の補強ストランドＡ３３とし、拘束ロープ１０の連結線材１２をこの補強ストランド３３に連結する。
補強ストランド３３は、例えば経ストランドＡ３１と緯ストランドＡ３２のいずれか一方向のストランドを、全て他方向のストランドより太径の補強ストランド３３としてもよいし、ラッセル機で網地を作製する段階で、連結線材１２と連結する一部のストランドのみを太径に製網してもよい。
本例の場合、側面Ａ３を構成する編地全体を重厚にすることなく、必要な一部のみを補強ストランド３３とした合理的構造によって、コストを抑制しつつ、繊維製布団篭Ａのはらみ出し変形を効率的に抑制することができる。
【符号の説明】
【００２４】
１  変形抑制構造
１０  拘束ロープ
１０ａ  第１拘束ロープ
１０ｂ  第２拘束ロープ
１１  拘束線材
１２  連結線材
１２ａ  中央連結線材
１２ｂ  側方連結線材
２０  面状拘束部
Ａ  繊維製布団篭
Ａ１  蓋面
Ａ２  底面
Ａ３  側面
Ａ３１  経ストランド
Ａ３２  緯ストランド
Ａ３３  補強ストランド
Ｂ  中詰材
【要約】
【課題】部材の柔軟性・軽量性と高い形状保持性とを両立可能な繊維製布団篭の変形抑制構造及び変形抑制構造を備えた繊維製布団篭を提供すること。
【解決手段】本発明の繊維製布団篭の変形抑制構造１は、繊維製布団篭Ａの対向する２つの側面Ａ３の間を連結した拘束ロープ１０を備え、拘束ロープ１０は、１本の拘束線材１１と、拘束線材１１の両端から分岐した複数本の連結線材１２と、からなり、２つの側面Ａ３の各面において、複数本の連結線材１２の先端が、側面Ａ３の経ストランドＡ３１、緯ストランドＡ３２、又はこれらの交点と連結していることによって、側面上Ａ３に、中詰材Ｂの側圧に対して面状に抵抗可能な面状拘束部２０を構成したことを特徴とする。本発明の繊維製布団篭Ａは、対向する少なくとも２つの側面Ａ３に、変形抑制構造１を構成し、内部に中詰材Ｂを充填してなることを特徴とする。
【選択図】図１【図１】
0006757869.tif 000002
【図２】
0006757869.tif 000003
【図３】
0006757869.tif 000004
【図４】
0006757869.tif 000005
【図５】
0006757869.tif 000006
【図６】
0006757869.tif 000007